(57)【要約】【課題】消費電力を節約しつつ、主基板と副基板との何れか一方が不正に交換されたとしても開閉部の監視を行い監視結果の記録を残すことが可能な遊技機を提供する。【解決手段】扉３の開閉が検出された場合に、主基板４のＣＰＵ４２は、１パルス信号をアクティブモードでホールコンピュータ７０に出力し、副基板５のＣＰＵ５２は、開閉日時情報をアクティブモードでＳＲＡＭ５３に記憶する。【選択図】図８
2008206806.tif 000002
【特許請求の範囲】
【請求項１】
開口部を有する筐体と、
該筐体に取り付けられ前記開口部を開閉可能な開閉部と、
前記開閉部の開閉を検出する開閉監視部と、
遊技の実行を制御する主制御部が設けられた主基板と、
該主基板から受け取ったコマンドに基づいて遊技の演出を制御する副制御部及びデータを記憶するための記憶部が設けられた副基板と
を備え、
前記主制御部及び前記副制御部は、信号の出力及びデータの記憶が可能な通常電力モードと、該通常電力モードよりも消費電力が少なくデータの出力及び記憶が不可能な省電力モードとで動作可能であり、
前記開閉監視部により前記開閉部の開閉が検出された場合に、
前記主制御部は、前記開閉部の開閉が検出された旨を通知するための開閉通知信号を通常電力モードで外部の管理装置に出力し、
前記副制御部は、前記開閉部の開閉が検出された日時を示す開閉日時情報を通常電力モードで前記記憶部に記憶することを特徴とする遊技機。
【請求項２】
外部からの電力を前記開閉監視部と前記主制御部と前記副制御部とに供給する主電源部と、
前記主電源部からの電力の供給がない場合に前記開閉監視部と前記主制御部と前記副制御部とに電力を供給する蓄電池をさらに備えることを特徴とする請求項１に記載の遊技機。
【請求項３】
前記主制御部は、前記主電源部からの電力の供給がない場合にのみ前記開閉通知信号を出力することを特徴とする請求項２に記載の遊技機。
【請求項４】
前記副制御部は、前記主電源部からの電力の供給がない場合にのみ前記開閉日時情報を記憶することを特徴とする請求項２又は３に記載の遊技機。
【請求項５】
前記主制御部は、前記開閉通知信号を出力した後に省電力モードに移行することを特徴とする請求項３に記載の遊技機。
【請求項６】
前記副制御部は、前記開閉日時情報を記憶した後に省電力モードに移行することを特徴とする請求項４に記載の遊技機。
【請求項７】
前記開閉監視部により前記開閉部の閉が検出された際に、前記主電源部からの電力の供給がない場合、前記主制御部と前記副制御部とは、省電力モードに移行することを特徴とする請求項２に記載の遊技機。
【発明の詳細な説明】
【技術分野】
【０００１】
本発明は、遊技機に関し、特に、不正防止機能と省電力機能を備えた遊技機に関する。
【背景技術】
【０００２】
一般的にパチスロ機と呼ばれ、メダルが遊技媒体として使用される回胴式の遊技機が知られている。このような遊技機は、前面に開口部を有する筐体と、筐体に取り付けられて開口部を開閉可能な扉等の開閉部と、筐体内に設けられた主基板や副基板等の各種電気部品とを有している。
【０００３】
従来から、遊技機の開閉部を開いて、設定値を変更する、制御基板を交換する、ホッパを破壊するといった不正行為がしばしば行われている。これらの不正行為は、遊技機が遊技店のホールに設置される直前や、遊技店の閉店時に行われる場合が多い。稀に遊技店の営業中にも起こり得る。不正行為が行われると、遊技者に不公平感や不快感を与えることとなり、また、遊技店やメーカは多大な迷惑や損害を被ることとなる。
【０００４】
不正行為を防ぐために、遊技機の不正防止機能を向上させる発明は従来から多くなされている（例えば、特許文献１参照）。特許文献１に記載の発明においては、遊技機の開閉検知部は主電源とは異なる蓄電池等の独立した電源を有し、開閉部の開閉を検知して開閉回数／開閉有無を記憶する。この発明によれば、主電源とは異なる独立した電源から開閉検知部に電力を供給することで、主電源の状態によらず、開閉部の開閉を監視し監視結果を記憶することを可能としている。
【０００５】
【特許文献１】特開２００４−２４４０９号公報
【発明の開示】
【発明が解決しようとする課題】
【０００６】
しかしながら、主電源とは異なる独立した電源から供給される電力で開閉部の監視及び監視結果の記憶を行う場合、供給可能な電力には限りがあるため、電力切れとならないようなるべく省電力で監視及び監視結果の記憶を行うことが望まれる。
【０００７】
また、開閉部の監視は一般的に遊技機の主基板と副基板との何れか一方で行われるため、不正に交換された基板が監視を行う基板であった場合には、監視を行うことができなくなり、また今までの監視結果も残らなくなるという問題がある。
【０００８】
本発明は、このような課題に鑑みてなされたものであり、消費電力を節約しつつ、主基板と副基板との何れか一方が不正に交換されたとしても開閉部の監視を行い監視結果の記録を残すことが可能な遊技機を提供することを目的とする。
【課題を解決するための手段】
【０００９】
このような目的を達成するために、請求項１に記載の発明は、開口部を有する筐体と、該筐体に取り付けられ前記開口部を開閉可能な開閉部と、前記開閉部の開閉を検出する開閉監視部と、遊技の実行を制御する主制御部が設けられた主基板と、該主基板から受け取ったコマンドに基づいて遊技の演出を制御する副制御部及びデータを記憶するための記憶部が設けられた副基板とを備え、前記主制御部及び前記副制御部は、信号の出力及びデータの記憶が可能な通常電力モードと、該通常電力モードよりも消費電力が少なくデータの出力及び記憶が不可能な省電力モードとで動作可能であり、前記開閉監視部により前記開閉部の開閉が検出された場合に、前記主制御部は、前記開閉部の開閉が検出された旨を通知するための開閉通知信号を通常電力モードで外部の管理装置に出力し、前記副制御部は、前記開閉部の開閉が検出された日時を示す開閉日時情報を通常電力モードで前記記憶部に記憶することを特徴とする遊技機を提供する。
【００１０】
本発明によれば、遊技機の開閉監視部により開閉部の開閉が検出された場合に、主制御部は、開閉部の開閉が検出された旨を通知するための開閉通知信号を通常電力モードで外部の管理装置に出力し、副制御部は開閉部の開閉が検出された日時を示す開閉日時情報を通常電力モードで前記記憶部に記憶するため、主基板と副基板との何れか一方が不正に交換されたとしても開閉部の監視を行い監視結果の記録を残すことができる。また、主制御部及び副制御部は省電力モードで動作可能であるため、消費電力を節約することが可能である。
【００１１】
請求項２に記載の発明は、請求項１に記載の遊技機において、外部からの電力を前記開閉監視部と前記主制御部と前記副制御部とに供給する主電源部と、前記主電源部からの電力の供給がない場合に前記開閉監視部と前記主制御部と前記副制御部とに電力を供給する蓄電池をさらに備えることを特徴とする。
【００１２】
本発明によれば、遊技機は主電源部からの電力の供給がなくても、蓄電池の電力を用いて開閉部の監視を行い監視結果の記録を残すことができる。
【００１３】
請求項３に記載の発明は、請求項２に記載の遊技機において、前記主制御部は、前記主電源部からの電力の供給がない場合にのみ前記開閉通知信号を出力することを特徴とする。
【００１４】
本発明によれば、不正行為が発生し易い遊技店の閉店中や遊技機の運搬中に開閉部が開閉された場合の監視結果のみを外部の管理装置で管理することができるため、不正行為を発見し易くなる。
【００１５】
請求項４に記載の発明は、請求項２又は３に記載の遊技機において、前記副制御部は、前記主電源部からの電力の供給がない場合にのみ前記開閉日時情報を記憶することを特徴とする。
【００１６】
本発明によれば、不正行為が発生し易い遊技店の閉店中や遊技機の運搬中に開閉部が開閉された場合の開閉日時情報のみを記憶することができるため、不正行為を発見し易くなる。
【００１７】
請求項５に記載の発明は、請求項３に記載の遊技機において、前記主制御部は、前記開閉通知信号を出力した後に省電力モードに移行することを特徴とする。
【００１８】
本発明によれば、主制御部は主電源部からの電力の供給がない場合に通常電力モードで開閉通知信号を出力した後に省電力モードに移行するため、主電源部からの電力の供給がない場合の消費電力を節約することができる。
【００１９】
請求項６に記載の発明は、請求項４に記載の遊技機において、前記副制御部は、前記開閉日時情報を記憶した後に省電力モードに移行することを特徴とする。
【００２０】
本発明によれば、副制御部は主電源部からの電力の供給がない場合に通常電力モードで開閉日時情報を記憶した後に省電力モードに移行するため、主電源部からの電力の供給がない場合の消費電力を節約することができる。
【００２１】
請求項７に記載の発明は、請求項２に記載の遊技機において、前記開閉監視部により前記開閉部の閉が検出された際に、前記主電源部からの電力の供給がない場合、前記主制御部と前記副制御部とは、省電力モードに移行することを特徴とする。
【００２２】
本発明によれば、開閉部の閉が検出された際に主電源部からの電力の供給がない場合、主制御部と副制御部とは省電力モードに移行するため、消費電力を節約することができる。
【発明の効果】
【００２３】
本発明によれば、遊技機の開閉監視部により開閉部の開閉が検出された場合に、主制御部は、開閉部の開閉が検出された旨を通知するための開閉通知信号を通常電力モードで外部の管理装置に出力し、副制御部は開閉部の開閉が検出された日時を示す開閉日時情報を通常電力モードで前記記憶部に記憶するため、主基板と副基板との何れか一方が不正に交換されたとしても開閉部の監視を行い監視結果の記録を残すことができる。また、主制御部及び副制御部は省電力モードで動作可能であるため、消費電力を節約することが可能である。
【発明を実施するための最良の形態】
【００２４】
以下、図面を参照して、本発明の実施形態について詳細に説明する。なお、各図面において同様の機能を有する箇所には同一の符号が付されている。
【００２５】
（装置構成）
図１は本発明の一実施形態に係る遊技機１の斜視図であり、図２は扉３を開けた状態の遊技機１の斜視図である。以下の説明においては、図１及び図２における左斜め下方を「前方」とし、右斜め上方を「後方」とする。
【００２６】
遊技機１は、前面が開放した正面視矩形の筐体２と、筐体２の左側部に上下方向を向く上下１対のヒンジ軸（図示省略）により開閉可能に枢支された扉３とを備える。
【００２７】
図２に示すように、筐体２内には、遊技に係わる電気部品として、遊技を統括的に制御する主基板４と、遊技の演出を制御する副基板５と、複数種類の図柄、数字等で構成される識別情報を変動表示及び停止表示可能な回転リールユニット６と、遊技媒体であるメダルを貯留及び払出可能なホッパーユニット７と、ＡＣ１００Ｖの電源に接続され筐体２内の各電気部品に電力を供給する主電源装置８と、主電源装置８から各電気部品への電力供給のオン／オフを切り替える電源スイッチ８ａとが収容されている。
【００２８】
筐体２における、扉３に対向する箇所には、扉３の開閉を検出可能な扉開閉センサ６０が配設されている。扉開閉センサ６０から出力される信号（以下「扉信号」という）は、副基板５及び主基板４に送信される。なお、扉３の開閉を検出する扉開閉センサ６０は、例えば、機械的な作動で電気回路を開閉する機能をもつ機械式のリミットスイッチを適用することができる。
【００２９】
主基板４は、不正な改造、交換等を防止するため、透明な基板ボックス内に収容された状態で筐体２内の後板２ａに固定され、基板ボックスに設けられた封止部分を破壊しない限り基板ボックスから取り出せないようになっている。
【００３０】
回転リールユニット６は、外周面に識別情報が印刷または貼付された左、中、右の３個の回転リール６１と、モータ駆動回路６２とを備える。モータ駆動回路６２は、主基板４が送信する制御コマンドに基づいて、各回転リール６１の回転、停止を制御する。
【００３１】
扉３の裏面側には、遊技情報、演出情報、扉３が開閉された日時を示す開閉日時情報等を表示可能な液晶表示器を有する画像表示ユニット９、副基板５が出力する制御信号を中継する中継基板１０、効果音を発生する左右のスピーカ１１、及び後述のメダル投入部１８に投入されるメダルの真偽を判別し、真のメダルのみをホッパーユニット７に誘導するメダルセレクタ１２が設けられている。
【００３２】
扉３の裏面側周囲の開放側（右側）には、筐体２側の適所に係脱可能な上、下のフック１３が枢支されている。フック１３は、筐体２の適所に係合することにより扉３を閉止状態に拘束する。
【００３３】
中継基板１０には、開閉日時情報を液晶表示器９１に表示させるときに操作される不正確認用操作スイッチ１４が設けられている。不正確認用操作スイッチ１４は、遊技店の係員が所持しているキーを用いて扉３を開けた状態でのみ操作可能であって、遊技者は操作することができない。
【００３４】
図１に示すように、扉３の前面には、画像表示ユニット９の液晶表示器に表示される情報を視認可能な遊技情報表示窓１５、遊技機１で行われた遊技の履歴情報を液晶表示器に表示させるときに操作される遊技情報表示操作スイッチ１６、各回転リール６１の識別情報を３コマずつ視認可能な識別情報表示窓１７、及び遊技を光演出するランプ２７が設けられている。
【００３５】
識別情報表示窓１７の下方には、遊技を開始するときにメダルが投入されるメダル投入部１８、メダルの掛数を最大限（３枚）に設定するＭＡＸベットボタン１９、メダルの掛数を１枚に設定する１ベットボタン２０、全ての回転リール６１を一斉に回転させるときに操作されるスタートレバー２１、各回転リール６１の回転を個別に停止させるときに操作される３個のストップボタン２２、遊技を精算するときに操作される精算ボタン２３、遊技店の係員が所持しているキーにより操作可能なキーシリンダー２４等が設けられている。
【００３６】
キーシリンダー２４をキーにより時計方向へ操作した場合には、フック１３を解除作動させて扉３を開くことができる。また、キーシリンダー２４をキーにより反時計方向へ操作した場合には、扉３の裏面側に設けられたリセットスイッチ２５がキー操作を検出して、遊技に係わる電気部品のエラーを解除させることができる。
【００３７】
なお、ＭＡＸベットボタン１９、１ベットボタン２０、スタートレバー２１、各ストップボタン２２及び精算ボタン２３には、それぞれの操作を検出するためのセンサが内臓されている。
【００３８】
次に、遊技機１での遊技の仕方について簡単に説明する。遊技者がメダルをメダル投入部１８に投入して、ＭＡＸベットボタン１９（または、１ベットボタン２０）の操作により遊技の掛数を設定した後、スタートレバー２１を操作して各回転リール６１を一斉に回転させる。そして、所定時間経過後に各回転リール６１に対応する各ストップボタン２２を順次操作して、各回転リール６１を停止させる。
【００３９】
各回転リール６１が停止したときの識別情報表示窓１７内の有効ライン上に表示される左、中、右の識別情報の組み合わせにより、入賞の有無、及び賞の大小が決定され、入賞態様に応じた数のメダルがホッパーユニット７から扉３の下部に設けられた受皿３ａに払い出される。そして、入賞のうち特定遊技状態となった場合には、所定の効果音をスピーカ１１から発生させたり、画像表示ユニット９の液晶表示器に特定遊技状態に係わる遊技情報や演出等を表示させる等して演出効果を高める。
【００４０】
（制御回路構成）
図３は、遊技機１の制御回路の全体構成の一例を示すブロック図である。
【００４１】
主基板４の入力インターフェースには、ＭＡＸベットボタン１９、１ベットボタン２０、スタートレバー２１、ストップボタン２２、精算ボタン２３、リセットスイッチ２５、ホッパーユニット７、メダルセレクタ１２を通過したメダルを検出するメダル検出センサ２６、扉開閉センサ６０等が接続される。
【００４２】
主基板４の出力インターフェースには、回転リールユニット６のモータ駆動回路（不図示）と、副基板５とが接続される。
【００４３】
主基板４は、スタートレバー２１からスタート信号が入力された時に、数値データ更新データより入賞か否かを抽選し、その抽選結果に基づく制御コマンドを回転リールユニット６に送信して、各回転リール６１のモータを個別に制御するとともに、副基板５に演出コマンドを送信する。また、主基板４は、扉開閉センサ６０から送信される扉信号に基づいて扉３の開閉を監視する。主基板４は、遊技情報、及び扉３が開閉された旨を通知するための開閉通知信号を、外部接続端子板４４を介してホールコンピュータ７０に出力する。
【００４４】
副基板５の入力インターフェースには、主基板４の出力インターフェースと、不正確認用操作スイッチ１４と、遊技情報表示操作スイッチ１６と、扉開閉センサ６０とが接続される。副基板５の出力インターフェースには、中継基板１０を経由して、画像表示ユニット９と、スピーカ１１と、ランプ２７とが接続される。
【００４５】
副基板５は、主基板４から送信される演出コマンドに基づき、遊技機１の遊技状況に応じて画像表示ユニット９の液晶表示器９１に文字、画像等を表示させたり、ランプ２７を点灯表示させたり、スピーカ１１に音声、音楽等を出力させたりして、演出の制御を行う。また、副基板５は、扉開閉センサ６０から送信される扉信号に基づいて扉３の開閉を監視する。
【００４６】
扉開閉センサ（「開閉監視部」に対応）６０は、主基板４及び副基板５に扉信号を出力する。図４には、扉開閉センサ６０から出力される扉信号の一例を示す。横方向が時間、縦方向が信号レベルを示している。同図に示すように、扉信号の立ち下り部分が開信号であり、立ち上がり部分が閉信号である。開信号は扉３が開いた時に出力され、閉信号は扉３が閉じた時に出力される。
【００４７】
図５及び図６は、主基板４、副基板５及び画像表示ユニット９の構成を詳細に示すブロック図である。なお、図中の矢印は、図５では電力の流れ、図６では信号の流れを示している。
【００４８】
遊技機１が外部の電源に接続され、かつ、電源スイッチ８ａがオンとなっている状態では、図５に示すように、電力が主電源装置８から電源供給制御部４８、５８を経て主基板４及び副基板５に供給される。一方、遊技機１が外部の電源に接続されていない、又は電源スイッチ８ａがオフとなっていることにより、主電源装置８から電力が供給されない場合は、電源供給制御部４８、５８に接続されたバックアップ電源４５、５５から電力が供給される。つまり、遊技機１を製造工場から遊技店に搬送する期間や遊技店の営業時間外においては、主電源装置８の代わりにバックアップ電源４５、５５から電力が供給されることとなる。バックアップ電源４５、５５には、リチウムイオン二次電池、ニッケル水素蓄電池等の蓄電池が用いられる。主電源装置８、バックアップ電源４５、５５の切り替えを行う電源供給制御部４８、５８は、電源の切り替えに関する公知の技術を適用すればよく、例えば、公知の電源切り替えＩＣを適用できる。
【００４９】
また、図６に示すように、遊技機１が外部の電源に接続され、かつ、電源スイッチ８ａがオンとなっている状態においては、主電源装置８からの主電源信号が主基板４及び副基板５に出力される。また、扉開閉センサ６０からの扉信号が主基板４及び副基板５に出力される。そして、主基板４から遊技情報及び開閉通知信号が外部接続端子板４４を介してホールコンピュータ７０に出力される。また、副基板５から遊技情報、演出情報及び開閉日時情報が画像表示ユニット９に出力されるとともに、遊技情報等が外部接続端子板５４を介してホールコンピュータ７０に出力される。
【００５０】
次に、主基板４の構成について説明する。主基板４は、ＣＰＵ（Central Processing Unit）（以下「メインＣＰＵ」ともいう）４２、ＲＯＭ（Read Only Memory）４１、ＳＲＡＭ（Static Random Access Memory）４３、スイッチング回路４６、電源供給制御部４８、クロックジェネレータ４９及びバックアップ電源４５を備えている。
【００５１】
スイッチング回路４６は、マルチバイブレータ素子４６ａとＣＲ回路４６ｂとを含み、扉開閉センサ６０から出力される扉信号を受信する。スイッチング回路４６が扉開閉センサ６０から開信号又は閉信号を受信すると、ＣＲ回路４６ｂが放電し、これによりマルチバイブレータ素子４６ａが起動信号（出力パルス）を所定時間（例えば、数μｓｅｃ）の間ＣＰＵ４２に出力する。
【００５２】
クロックジェネレータ４９は、高速発振回路及び低速発振回路の２つの発振回路（ＯＳＣ：oscillator）と、この２つの発振回路の作動を制御する切り替え制御部とを備えている。高速発振回路は、例えば約３３ＭＨｚのクロック周波数を出力する。低速発振回路は、例えば約３３ｋＨｚのクロック周波数を出力する。
【００５３】
クロックジェネレータ４９は、現在のモードがアクティブモード（通常電力モード）であるかスリープモード（省電力モード）であるかに応じて、高速又は低速のクロック周波数をＣＰＵ４２に出力する。すなわち、ＣＰＵ４２がアクティブモードにあるときは、クロックジェネレータ４９は高速発振回路から発振されるクロック周波数をＣＰＵ４２に出力する。一方、ＣＰＵ４２がスリープモードにあるときは、高速発振回路の動作は停止し、クロックジェネレータ４９は低速発振回路から発振されるクロック周波数をＣＰＵ４２に出力する。これにより、スリープモードにあるときは、ＣＰＵ４２は扉３の開閉を監視するとともにＳＲＡＭ４３の情報が保持されるために必要最低限の消費電力を得られる程度にクロック周波数を下げて動作することとなる。このため、スリープモードにあるときは消費電力を節約することができる。一方、アクティブモードにあるときは、ＣＰＵ４２は遊技の実行、データの出力及び記憶を行うことができる程度の高いクロック周波数で動作し、消費電力も高くなる。
【００５４】
なお、クロックジェネレータ４９は上記の構成に限ることなく、高低２つの周波数を選択的に出力可能であればどのような構成でもよい。
【００５５】
ＲＯＭ４１は読み出し専用のメモリである。ＲＯＭ４１には、遊技の実行制御、扉開閉の監視処理等を行うための各種プログラム及びデータが遊技機１の製造時より記憶されている。ＳＲＡＭ４３は読み書き可能なメモリである。ＳＲＡＭ４３には、ＣＰＵ４２による処理の実行過程で生成される各種データが記憶される。
【００５６】
ＣＰＵ４２（「主制御部」に対応）は、ＲＯＭ４１に記憶されているプログラム及びデータにしたがって、遊技の実行制御、扉開閉センサ６０及びスイッチング回路４６から出力される信号に基づく扉開閉の判断、扉３の開閉が検出された旨を通知するための開閉通知信号のホールコンピュータ７０への出力、アクティブモードとスリープモードとの切替制御等を行う。
【００５７】
扉開閉の判断については、ＣＰＵ４２は、起動信号の受信の後に扉信号を参照し、本実施例においては、扉信号がＬｏｗであることで扉３が開かれたと判断し、扉信号がＨｉｇｈであることで扉３が閉じられたと判断する。
【００５８】
アクティブモードとスリープモードとの切替制御については、ＣＰＵ４２は、扉３が閉じられて主電源装置８からの電力の供給がない場合、又は、扉３が開かれた場合、スリープモードに移行し、扉３が閉じられて主電源装置８からの電力の供給がある場合、アクティブモードに移行する。
【００５９】
次に、副基板５の構成について説明する。副基板５は、ＣＰＵ（Central Processing Unit）（以下「サブＣＰＵ」ともいう）５２、ＲＯＭ（Read Only Memory）５１、ＳＲＡＭ（Static Random Access Memory）５３、スイッチング回路５６、時計モジュール５７、電源供給制御部５８、クロックジェネレータ５９及びバックアップ電源５５を備えている。
【００６０】
スイッチング回路５６、電源供給制御部５８、クロックジェネレータ５９及びバックアップ電電５５の構成は、主基板４が備えるスイッチング回路４６、電源供給制御部４８、クロックジェネレータ４９及びバックアップ電電４５と同じ構成を備えている。
【００６１】
時計モジュール５７は、例えば水晶発信器を含んで構成され、日時を計時する。
【００６２】
ＲＯＭ５１は読み出し専用のメモリである。ＲＯＭ５１には、遊技の演出制御、扉開閉の監視処理等を行うための各種プログラム及びデータが遊技機１の製造時より記憶されている。ＳＲＡＭ５３は読み書き可能なメモリである。ＳＲＡＭ５３には、ＣＰＵ５２による処理の実行過程で生成される各種データが記憶される。
【００６３】
ＣＰＵ５２（「副制御部」に対応）は、ＲＯＭ５１に記憶されているプログラム及びデータにしたがって、演出制御、扉開閉センサ６０及びスイッチング回路５６から出力される信号に基づく扉開閉の判断、開閉日時情報のＳＲＡＭ５３（「記憶部」に対応）への記憶、アクティブモードとスリープモードとの切替制御等を行う。開閉日時情報の記憶については、ＣＰＵ５２は、起動信号を受信した時に時計モジュール５７から現在の日時を取得し、当該日時を示す情報を開閉日時情報としてＳＲＡＭ５３に記憶する。ＣＰＵ５２が行う扉開閉の判断、及びアクティブモードとスリープモードとの切替制御については、上述した主制御部４のＣＰＵ４２が行う制御と同様である。なお、ＣＰＵ４２、５２が行う詳細な制御については、図８から図１１に示すフローチャートを参照して後述する。
【００６４】
画像表示ユニット９は、液晶表示器９１、ＣＰＵ、ＲＯＭ及びＶＤＰ（Video Display Processor）を備え、副基板５からの制御信号に基づいて、文字、画像等の表示制御を行う。例えば、画像表示ユニット９は、不正確認用操作スイッチ１４が操作された時に、ＳＲＡＭ５３に記憶された開閉日時情報を副基板５から受信し、画像表示ユニット９のＣＰＵは当該開閉日時情報に基づいて、例えば図７に示す扉開閉履歴画面を液晶表示器９１に表示する。
【００６５】
ホールコンピュータ７０は、ＣＰＵ、記憶装置、時計モジュール等（不図示）を備え、一般的なコンピュータの構成を有している。ホールコンピュータ７０は、主基板４及び副基板５から受信した遊技情報を記憶装置に記憶する。また、ホールコンピュータ７０は、主基板４から開閉通知信号を受信した時に時計モジュールから現在の日時を取得し、当該日時を示す情報を開閉日時情報として記憶装置に記憶する。ホールコンピュータ７０は、遊技店の従業員等からのキーボード等の操作による開閉履歴表示の指示を受けると、記憶装置に記憶されている開閉日時情報に基づいて、例えば図７に示す扉開閉履歴画面を表示装置に表示する。
【００６６】
（不正監視処理）
次に、図８から図１１に示すフローチャートを参照して、主基板４及び副基板５が行う不正監視処理の各種処理例について説明する。図８から図１１に示す各不正監視処理の初期状態として、主電源装置８からの電力供給が無い場合（バックアップ電源５５によるスリープモード作動中）を例として説明する。
【００６７】
（主基板が行う第１の不正監視処理）
まず、図８に示すフローチャートを参照して、主基板４が行う第１の不正監視処理について説明する。
【００６８】
主基板４のＣＰＵ４２は、扉開閉センサ６０からスイッチング回路４６を経由して割り込み信号として送信されてくる信号を監視している（ステップＳ１０１）。
【００６９】
監視の結果、起動信号を検出し（ステップＳ１０２；Ｙｅｓ）、扉信号の確認により扉３が開かれたと判断した場合（ステップＳ１０３；Ｙｅｓ）、ＣＰＵ４２は起動処理を行う（ステップＳ１０４）。具体的には、ＣＰＵ４２は、クロックジェネレータ４９から高速発振回路のクロック周波数の供給を受けることにより、アクティブモードに移行する。
【００７０】
次に、ＣＰＵ４２は電断処理を行う（ステップＳ１０５）。具体的には、ＳＲＡＭ４３、ＣＰＵ４２のレジスタ等に記憶されている処理中の情報（以下、「メインＣＰＵ情報」という）を、ＳＲＡＭ４３のバックアップ領域に退避する。
【００７１】
次に、ＣＰＵ４２は、１パルス信号を扉３の開閉があった旨を通知するための開閉通知信号としてホールコンピュータ７０に出力する（ステップＳ１０６）。１パルス信号を受信したホールコンピュータ７０は、時計モジュールから現在の日時を取得し、当該日時を示す情報を開閉日時情報として記憶装置に記憶する。
【００７２】
次に、主基板４のＣＰＵ４２は、クロックジェネレータ４９から低速発振回路のクロック周波数の供給を受けることによりスリープモードに移行して（ステップＳ１０７）、処理を終了する。
【００７３】
一方、ステップＳ１０１における監視の結果、起動信号を検出し（ステップＳ１０２；Ｙｅｓ）、扉３が閉じられたと判断した場合（ステップＳ１０３；Ｎｏ）、ＣＰＵ４２は起動処理を行い（ステップＳ１０８）、１パルス信号をホールコンピュータ７０に出力する（ステップＳ１０９）。
【００７４】
次に、ＣＰＵ４２は主電源信号をチェックする（ステップＳ１１０）。この結果、主電源装置８からの電力の供給があると判断した場合（ステップＳ１１１；Ｙｅｓ）、ＣＰＵ４２は通常遊技モードへの移行処理を行う（ステップＳ１１２）。具体的には、ＣＰＵ４２及びＳＲＡＭ４３の初期設定を行う（ステップＳ１０５において電断処理を行った場合には、退避しておいたメインＣＰＵ情報を元に戻す処理を行う）ことにより、遊技開始可能な状態に移行する。
【００７５】
なお、ステップＳ１１１においてＹｅｓと判断される（すなわち、主電源装置８からの電力供給があると判断される）場合には、遊技機１と外部の電源とが接続されているが電源スイッチ８ａがオフの状態の時に、人間が扉３を開いて電源スイッチ８ａをオンにして扉３を閉めた場合が挙げられる。
【００７６】
一方、主電源装置８からの電力の供給がないと判断した場合（ステップＳ１１１；Ｎｏ）、ＣＰＵ４２はスリープモードに移行し（ステップＳ１０７）、処理を終了する。
【００７７】
以上が第１の不正監視処理である。このように第１の不正監視処理においては、主基板４は開閉日時情報を記憶せずに扉３の開閉があった旨を通知するための１パルス信号の出力のみを行っている。これは、遊技の実行制御を行う主基板４は、演出制御を行う副基板５に比較して不正に交換され易いため、外部のホールコンピュータ７０に監視結果を記憶させた方が確実に監視結果を残すことができるからである。また、この第１の不正監視処理では、ＣＰＵ４２がスリープモードで動作している時に扉３の開閉が検出された場合（ステップＳ１０２）、アクティブモードに移行して（ステップＳ１０４、Ｓ１０８）、ホールコンピュータ７０に１パルス信号を出力するため（ステップＳ１０６、Ｓ１０９）、扉３の開閉が検出されるまではスリープモードで動作することができ、消費電力を節約することができる。また、扉３が閉じられた時に主電源装置８からの電力の供給がない場合（ステップＳ１１１；Ｎｏ）、アクティブモードで１パルス信号を出力した後に（ステップＳ１０９）スリープモードに移行するため（ステップＳ１０７）、１パルス信号を出力する時のみアクティブモードとなることができ、バップアップ電源４５の消費電力を節約することができる。また、扉３が開けられた場合に（ステップＳ１０３；Ｙｅｓ）、アクティブモードで１パルス信号を出力した後に（ステップＳ１０６）スリープモードに移行するため（ステップＳ１０７）、扉３を開けたまま遊技が行われるのを防止することができる。
【００７８】
なお、この第１の不正監視処理においては、扉３が開かれた場合と閉じられた場合との両方の場合に１パルス信号を出力したが（ステップＳ１０６、Ｓ１０９）、扉３が閉じられた場合と開かれた場合との何れか一方の場合に出力するようにしてもよい。
【００７９】
（主基板が行う第２の不正監視処理）
次に、図９に示すフローチャートを参照して、主基板４が行う第２の不正監視処理について説明する。
【００８０】
まず、主基板４のＣＰＵ４２は、扉開閉センサ６０からスイッチング回路５６を経由して、割り込み信号として送信されてくる信号を監視している（ステップＳ２０１）。
【００８１】
監視の結果、起動信号を検出し（ステップＳ２０２；Ｙｅｓ）、扉３が開かれたと判断した場合（ステップＳ２０３；Ｙｅｓ）、ＣＰＵ４２は、メインＣＰＵ情報をＳＲＡＭ４３のバックアップ領域に退避することにより、電断処理を行う（ステップＳ２０５）。
【００８２】
次に、ＣＰＵ４２は、クロックジェネレータ４９から低速発振回路のクロック周波数の供給を受けることによりスリープモードに移行して（ステップＳ２０７）、処理を終了する。
【００８３】
一方、監視の結果、起動信号を検出し（ステップＳ２０２；Ｙｅｓ）、扉３が閉じられたと判断した場合（ステップＳ２０３；Ｎｏ）、ＣＰＵ４２は起動処理を行う（ステップＳ２０８）。
【００８４】
次に、ＣＰＵ４２は主電源信号をチェックする（ステップＳ２１０）。この結果、主電源装置８からの電力の供給があると判断した場合（ステップＳ２１１；Ｙｅｓ）、ＣＰＵ４２は通常遊技モードへの移行処理を行う（ステップＳ２１２）。具体的には、ＣＰＵ４２及びＳＲＡＭ４３の初期設定を行う（ステップＳ２０５において電断処理を行った場合には、退避しておいたメインＣＰＵ情報を元に戻す処理を行う）ことにより、遊技開始可能な状態に移行する。
【００８５】
一方、主電源装置８からの電力の供給がないと判断した場合（ステップＳ２１１；Ｎｏ）、ＣＰＵ４２は、１パルス信号をホールコンピュータ７０に出力した後（ステップＳ２１３）、スリープモードに移行し（ステップＳ２０７）、処理を終了する。
【００８６】
以上が第２の不正監視処理である。この第２の不正監視処理が第１の不正監視処理と異なる点は、扉３が開かれた場合、及び主電源装置８からの電力の供給がある時に扉３が閉じられた場合に、１パルス信号を出力せずに、主電源装置８からの電力の供給がない時に扉３が閉じられた場合にのみ１パルス信号を出力している（ステップＳ２１３）点である。したがって、この第２の不正監視処理では、遊技店の営業中に扉３が開閉された場合の開閉日時情報がホールコンピュータ７０に記憶されることがなく、遊技店の従業員は遊技機１の運搬中又は遊技店の閉店中等に扉３が閉じられた場合の日時のみをホールコンピュータ７０で確認することができるため、不正行為の発見が容易となる。また、扉３が閉じられ、かつ、主電源装置８からの電力の供給がない場合には（ステップＳ２１１；Ｎｏ）、ＣＰＵ４２はアクティブモードで１パルス信号をホールコンピュータ７０に出力した後（ステップＳ２１３）、スリープモードに移行するため（ステップＳ２０７）、１パルス信号を出力する時のみアクティブモードとなることができ、バックアップ電源４５の消費電力を節約することができる。
【００８７】
なお、この第２の不正監視処理では、主電源装置８からの電力の供給がない時に扉３が閉じられた場合にのみ１パルス信号を出力したが、主電源装置８からの電力の供給がない時に扉３が開かれた場合にも１パルス信号を出力するようにしてもよい。
【００８８】
（副基板が行う第３の不正監視処理）
次に、図１０に示すフローチャートを参照して、副基板５が行う第３の不正監視処理について説明する。
【００８９】
副基板５のＣＰＵ５２は、扉開閉センサ６０からスイッチング回路５６を経由して割り込み信号として送信されてくる信号を監視している（ステップＳ３０１）。
【００９０】
監視の結果、起動信号を検出し（ステップＳ３０２；Ｙｅｓ）、扉３が開かれたと判断した場合（ステップＳ３０３；Ｙｅｓ）、ＣＰＵ５２は起動処理を行い（ステップＳ３０４）、アクティブモードに移行する。
【００９１】
次に、ＣＰＵ５２は電断処理を行う（ステップＳ３０５）。具体的には、ＳＲＡＭ５３、ＣＰＵ５２のレジスタ等に記憶されている処理中の情報（以下、「サブＣＰＵ情報」という）を、ＳＲＡＭ５３のバックアップ領域に退避する。
【００９２】
次に、ＣＰＵ５２は、時計モジュール５７から現在の日時を取得し、当該日時を示す情報を開閉日時情報としてＳＲＡＭ５３に記憶する（ステップＳ３０６）。
【００９３】
次に、ＣＰＵ５２は、クロックジェネレータ５９から低速発振回路のクロック周波数の供給を受けることによりスリープモードに移行して（ステップＳ３０７）、処理を終了する。
【００９４】
一方、監視の結果、起動信号を検出し（ステップＳ３０２；Ｙｅｓ）、扉３が閉じられたと判断した場合（ステップＳ３０３；Ｎｏ）、ＣＰＵ５２は起動処理を行う（ステップＳ３０８）。次に、ＣＰＵ５２は、時計モジュール５７から現在の日時を取得して、当該日時を示す情報を開閉日時情報としてＳＲＡＭ５３に記憶する（ステップＳ３０９）。
【００９５】
次に、ＣＰＵ５２は主電源信号をチェックする（ステップＳ３１０）。この結果、主電源装置８からの電力の供給があると判断した場合（ステップＳ３１１；Ｙｅｓ）、ＣＰＵ５２は通常遊技モードへの移行処理を行う（ステップＳ３１２）。具体的には、ＣＰＵ５２及びＳＲＡＭ５３の初期設定を行う（ステップＳ３０５において電断処理を行った場合には、退避しておいたサブＣＰＵ情報を元に戻す処理を行う）ことにより、遊技開始可能な状態に移行する。
【００９６】
一方、主電源装置８からの電力の供給がないと判断した場合（ステップＳ３１１；Ｎｏ）、ＣＰＵ５２はスリープモードに移行し（ステップＳ３０７）、処理を終了する。
【００９７】
以上が第３の不正監視処理である。この第３の不正監視処理では、副基板５は開閉日時情報の出力を行わずに記憶のみを行っている。これは、副基板５は主に遊技の演出を制御しているため、遊技を制御する主基板４に比較して交換や設定値の変更が行われにくく、副基板５に記憶した開閉日時情報が失われる可能性が低いためである。また、この第３の不正監視処理においては、ＣＰＵ５２がスリープモードで動作している時に扉３の開閉が検出された場合（ステップＳ３０２）、アクティブモードに移行した後に（ステップＳ３０４、Ｓ３０８）、開閉日時情報を記憶するため（ステップＳ３０６、Ｓ３０９）、扉３の開閉が検出されるまではスリープモードで動作することができ、消費電力を節約することができる。また、扉３が閉じられ、かつ、主電源装置８からの電力の供給がない場合には（ステップＳ３１１；Ｎｏ）、アクティブモードで開閉日時情報を記憶した後に（ステップＳ３０９）スリープモードに移行するため（ステップＳ３０７）、開閉日時情報を記憶する時のみアクティブモードとなることができ、バップアップ電源５５の消費電力を節約することができる。また、扉３が開けられた場合に（ステップＳ３０３；Ｙｅｓ）、アクティブモードで開閉日時情報を記憶した後に（ステップＳ３０６）スリープモードに移行するため（ステップＳ３０７）、扉３を開けたまま遊技が行われるのを防止することができる。
【００９８】
なお、この第３の不正監視処理においては、扉３が開かれた場合と閉じられた場合との両方の場合に開閉日時情報を記憶したが（ステップＳ３０６、Ｓ３０９）、扉３が閉じられた場合と開かれた場合との何れか一方の場合に開閉日時情報を記憶するようにしてもよい。
【００９９】
（副基板が行う第４の不正監視処理）
次に、図１１に示すフローチャートを参照して、副基板５が行う第４の不正監視処理について説明する。
【０１００】
まず、副基板５のＣＰＵ５２は、扉開閉センサ６０からスイッチング回路５６を経由して、割り込み信号として送信されてくる信号を監視している（ステップＳ４０１）。
【０１０１】
監視の結果、起動信号を検出し（ステップＳ４０２；Ｙｅｓ）、扉３が開かれたと判断した場合（ステップＳ４０３；Ｙｅｓ）、ＣＰＵ５２は、サブＣＰＵ情報をＳＲＡＭ５３のバックアップ領域に退避することにより、電断処理を行う（ステップＳ４０５）。
【０１０２】
次に、ＣＰＵ５２は、クロックジェネレータ５９から低速発振回路のクロック周波数の供給を受けることによりスリープモードに移行して（ステップＳ４０７）、処理を終了する。
【０１０３】
一方、監視の結果、起動信号を検出し（ステップＳ４０２；Ｙｅｓ）、扉３が閉じられたと判断した場合（ステップＳ４０３；Ｎｏ）、ＣＰＵ５２は起動処理を行う（ステップＳ４０８）。
【０１０４】
次に、ＣＰＵ５２は主電源信号をチェックする（ステップＳ４１０）。この結果、主電源装置８からの電力の供給があると判断した場合（ステップＳ４１１；Ｙｅｓ）、ＣＰＵ５２は通常遊技モードへの移行処理を行う（ステップＳ４１２）。具体的には、ＣＰＵ５２及びＳＲＡＭ５３の初期設定を行う（ステップＳ４０５において電断処理を行った場合には、退避しておいたサブＣＰＵ情報を元に戻す処理を行う）ことにより、遊技開始可能な状態に移行する。
【０１０５】
一方、ステップＳ４１１において主電源装置８からの電力の供給がないと判断した場合（ステップＳ４１１；Ｎｏ）、ＣＰＵ５２は、時計モジュール５７から現在の日時を取得し、当該日時を示す情報を開閉日時情報としてＳＲＡＭ５３に記憶する（ステップＳ４１３）。その後、ＣＰＵ５２はスリープモードに移行し（ステップＳ４０７）、処理を終了する。
【０１０６】
以上が第４の不正監視処理である。この第４の不正監視処理が第３の不正監視処理と異なる点は、扉３が開かれた場合、及び主電源装置８からの電力の供給がある時に扉３が閉じられた場合に、開閉日時情報を記憶せずに、主電源装置８からの電力の供給がなく、かつ、扉３が閉じられた場合にのみ開閉日時情報を記憶している（ステップＳ４１３）点である。したがって、この第４の不正監視処理では、遊技店の営業中に扉３が開閉された場合に開閉日時情報が記憶されず、遊技店の従業員は遊技機１の運搬中又は遊技店の閉店中等に扉３が閉じられた場合の日時のみを画像表示ユニット９の液晶表示器９１で確認することができ、不正行為の発見が容易となる。また、この第４の不正監視処理では、扉３が閉じられ、かつ、主電源装置８からの電力の供給がない場合には（ステップＳ４１１；Ｎｏ）、ＣＰＵ５２はアクティブモードで開閉日時情報を記憶した後（ステップＳ４１３）、スリープモードに移行するため（ステップＳ４０７）、開閉日時情報を記憶する時のみアクティブモードとなることができ、バックアップ電源５５の消費電力を節約することができる。
【０１０７】
なお、この第４の不正監視処理では、主電源装置８からの電力の供給がない時に扉３が閉じられた場合にのみ開閉日時情報を記憶したが、主電源装置８からの電力の供給がない時に扉３が開かれた場合にも開閉日時情報を記憶するようにしてもよい。
【０１０８】
以上説明したように、扉３が開閉された場合に、主基板４のＣＰＵ４２は扉３の開閉があった旨を通知するための開閉通知信号をアクティブモードでホールコンピュータ７０に出力し、副基板５のＣＰＵ５２は開閉日時情報をアクティブモードでＳＲＡＭ５３に記憶するため、主基板４と副基板５との何れか一方が不正に交換されたとしても、交換されていない方の基板で扉開閉の監視を行い、監視結果の記録を残す（つまり、出力先のホールコンピュータ７０で開閉日時情報を記憶する、又はＳＲＡＭ５３に開閉日時情報を記憶する）ことができる。また、主基板４及び副基板５は、１パルス信号の出力時又は開閉日時情報の記憶時、並びに遊技実行時以外は、スリープモードで動作可能であるため、消費電力を節約することができる。
【０１０９】
また、遊技機１は、主電源装置８からの電力の供給がない場合に電力を供給するバックアップ電源４５、５５を備えているため、運搬中等で遊技機１が外部の電源と接続されていない時や、遊技店の閉店中等に遊技機１の電源スイッチがオフになっている時にも、扉３の開閉を監視することができる。主電源装置８からの電力の供給がない場合にはＣＰＵ４２、５２はスリープモードで動作するため、バックアップ電源４５、５５を長持ちさせ、長時間に亘って監視を継続することができる。また、遊技機１のＣＰＵ４２、５２は、扉３が開かれた場合にスリープモードに移行するため、不正な遊技が行われるのを防ぐことができる。
【０１１０】
（変形例）
以上、本発明の実施形態について説明したが、本発明の要旨を逸脱しない範囲内で、本実施形態に対して、次のような種々の変形や変更を施すことが可能である。
（１）上述した実施形態では、図７に示す扉開閉履歴画面には日時のみが表示されるとして説明したが、これに限定されることはなく、その日時に扉３が閉じられたのか閉められたのかを識別するための開閉区分が表示されてもよい。この場合には、開閉日時情報に、日時に加えて開閉区分を示す情報を含める必要がある。
（２）上述した実施形態においては、バックアップ電源４５、５５が蓄電池であるとして説明したが、これに限定されることはなく、例えば、マンガン乾電池、アルカリ乾電池等の一次電池であってもよく、また、コンデンサであってもよい。
（３）上述した実施形態では、アクティブモードとスリープモードとの切替をクロック周波数の切替により制御したが、モードの切替方法はこれに限定されることはなく、スリープモードがアクティブモードよりも消費電力が小さい状態となればどのような制御方法であってもよい。例えば、スリープモードにおいて、電圧をアクティブモードより下げる制御を行ってもよい。
（４）扉開閉センサ６０を、機械式のリミットスイッチに代えて、光電式等の非接触形のセンサとしてもよい。
（５）遊技機１を、遊技媒体をメダル（コインを含む）とするスロットマシンに代えて、遊技媒体がパチンコ玉であるパチンコ機その他の遊技機とすることが可能である。
【図面の簡単な説明】
【０１１１】
【図１】本発明の実施形態に係る遊技機の斜視図である。
【図２】同実施形態に係る扉を開けた状態の遊技機の斜視図である。
【図３】同実施形態に係る遊技機全体の制御回路構成の一例を示すブロック図である。
【図４】同実施形態に係る扉開閉センサから出力される扉信号の一例を示す図である。
【図５】同実施形態に係る主基板、副基板及び画像表示ユニットの構成を示すブロック図である。
【図６】同実施形態に係る主基板、副基板及び画像表示ユニットの構成を示すブロック図である。
【図７】同実施形態に係る扉開閉履歴画面の一例を示す図である。
【図８】同実施形態に係る主基板が行う第１の不正監視処理を示すフローチャートである。
【図９】同実施形態に係る主基板が行う第２の不正監視処理を示すフローチャートである。
【図１０】同実施形態に係る副基板が行う第３の不正監視処理を示すフローチャートである。
【図１１】同実施形態に係る副基板が行う第４の不正監視処理を示すフローチャートである。
【符号の説明】
【０１１２】
１    遊技機
２    筐体
３    扉
３ａ  受皿
４    主基板
５    副基板
６    回転リールユニット
７    ホッパーユニット
８    主電源装置
８ａ  電源スイッチ
９    画像表示ユニット
１０  中継基板
１１  スピーカ
１２  メダルセレクタ
１３  フック
１４  不正確認用操作スイッチ
１５  遊技情報表示窓
１６  遊技情報表示操作スイッチ
１７  識別情報表示窓
１８  メダル投入部
１９  ＭＡＸベットボタン
２０  １ベットボタン
２１  スタートレバー
２２  ストップボタン
２３  精算ボタン
２４  キーシリンダー
２５  リセットスイッチ
２６  メダル検出センサ
２７  ランプ
４１、５１  ＲＯＭ
４２、５２  ＣＰＵ
４３、５３  ＳＲＡＭ
４４、５４  外部接続端子板
４５、５５  バックアップ電源
４６、５６  スイッチング回路
４６ａ、５６ａ  マルチバイブレータ素子
４６ｂ、５６ｂ  ＣＲ回路
５７    時計モジュール
４８、５８  電源供給制御部
４９、５９  クロックジェネレータ
【図１】
2008206806.tif 000003
【図２】
2008206806.tif 000004
【図３】
2008206806.tif 000005
【図４】
2008206806.tif 000006
【図５】
2008206806.tif 000007
【図６】
2008206806.tif 000008
【図７】
2008206806.tif 000009
【図８】
2008206806.tif 000010
【図９】
2008206806.tif 000011
【図１０】
2008206806.tif 000012
【図１１】
2008206806.tif 000013